(57)【要約】【課題】シンクの周縁に段差がある場合でも、水切りを行う部分を水平に保持できる水切り装置を提供すること。【解決手段】上面に形成された開口部２と、開口部内の奥壁側の底面部３３が隆起して形成された上面が平坦なデッキ部３１と、を有するシンクに用いられる水切り装置１であって、シンクの手前側の開口縁部２１からデッキ部まで延びる枠部１１０，１２０と、枠部内に連結して設けられ、下方に水を透過可能な水切り本体部１１１，１２１と、を有する水切り部材１１，１２を備え、枠部は、奥側の端部に形成され、下方に延びてデッキ部に載置される脚部１１２，１２２と、手前側の端部に形成され、水平に延びてシンクの手前側の開口縁部に載置される腕部１１３，１２３と、を有し、腕部の下面から脚部の先端までの高さ方向の距離が、シンクの開口縁部とデッキ部の高さの差に一致することで、水切り本体部が水平に配置される水切り装置である。【選択図】図１
2015104532.tif 000002
【特許請求の範囲】
【請求項１】
上面に形成された開口部と、該開口部内の奥壁側の底面部が隆起して形成された上面が平坦なデッキ部と、を有するシンクに用いられる水切り装置であって、
前記シンクの手前側の開口縁部から前記デッキ部まで延びる枠部と、
前記枠部内に連結して設けられ、下方に水を透過可能な水切り本体部と、を有する水切り部材を備え、
前記枠部は、
奥側の端部に形成され、下方に延びて前記デッキ部に載置される脚部と、
手前側の端部に形成され、水平に延びて前記シンクの手前側の開口縁部に載置される腕部と、を有し、
前記腕部の下面から前記脚部の先端までの高さ方向の距離が、前記シンクの開口縁部と前記デッキ部の高さの差に一致することで、前記水切り本体部が水平に配置される水切り装置。
【請求項２】
前記水切り部材として、前記水切り本体部がプレート状に形成された水切りプレートを有する請求項１に記載の水切り装置。
【請求項３】
前記腕部の下面と前記水切りプレートの上面の高さ位置が一致することで、前記水切りプレートが前記シンクの開口縁部と面一となっている請求項２に記載の水切り装置。
【請求項４】
前記水切り部材として、前記水切り本体部が籠状に形成された水切り籠を有する請求項１から３いずれかに記載の水切り装置。
【請求項５】
前記水切りプレートの枠部の寸法と前記水切り籠の枠部の寸法が異なることで、前記水切り籠上に前記水切りプレートを重ねて使用することが可能な請求項４に記載の水切り装置。
【発明の詳細な説明】
【技術分野】
【０００１】
本発明は、水切り装置に関する。特に、デッキ部を有するシンクに載置される水切り装置に関する。
【背景技術】
【０００２】
従来、台所等に設置されるシンクには、シンクの開口部の周囲にデッキ部と呼ばれる平坦な面が形成されている。また、シンクでは、シンクに水を透過する水切り部材を載置して、水洗いしたものを一時的にこの水切り部材に置き、水滴をシンクの底面部に落とすことが行われている。この水切り部材は、水を透過する籠の部分と、シンクの互いに対向する開口縁部の一方および他方に架設される腕部とを有する。そして、腕部をシンクの奥壁側と前壁側の開口縁部に架け渡すことにより、水切り部材が載置される（例えば、特許文献１参照）。
【先行技術文献】
【特許文献】
【０００３】
【特許文献１】特開２０１１−６７５５２号公報
【発明の概要】
【発明が解決しようとする課題】
【０００４】
ここで、デッキ部が形成されることでシンクの内側の周縁に段差がある場合、水切り部材を水平に配置するためには、デッキ部を超えてシンクの奥壁側の縁に腕部を架け渡す必要がある。したがって、デッキ部を超える分、腕部を長く形成するため、腕部が撓むおそれがあり、水切り部材を水平に配置することが困難であった。
【０００５】
本発明は、シンクの周縁に段差がある場合でも、水切りを行う部分を水平に保持できる水切り装置を提供することを目的とする。
【課題を解決するための手段】
【０００６】
（１）  上記目的を達成するため本発明は、上面に形成された開口部（例えば、後述の開口部２）と、該開口部内の奥壁側の底面部（例えば、後述の底面部３３）が隆起して形成された上面が平坦なデッキ部（例えば、後述のデッキ部３１）と、を有するシンク（例えば、後述のシンク３）に用いられる水切り装置（例えば、後述の水切り装置１）であって、前記シンクの手前側の開口縁部（例えば、後述の開口縁部２１）から前記デッキ部まで延びる枠部（例えば、後述の枠部１１０）と、前記枠部内に連結して設けられ、下方に水を透過可能な水切り本体部と（例えば、後述の第１水切り本体部１１１、第２水切り本体部１２１）、を有する水切り部材（例えば、後述の水切りプレート１１、水切り籠１２）を備え、前記枠部は、奥側の端部に形成され、下方に延びて前記デッキ部に載置される脚部（例えば、後述の脚部１１２，１２２）と、手前側の端部に形成され、水平に延びて前記シンクの手前側の開口縁部に載置される腕部（例えば、後述の腕部１１３，１２３）と、を有し、前記腕部の下面から前記脚部の先端までの高さ方向の距離（例えば、後述の距離Ｈ１，Ｈ４）が、前記シンクの開口縁部と前記デッキ部の高さの差に一致することで、前記水切り本体部が水平に配置される水切り装置を提供する。
【０００７】
この発明では、開口部と、デッキ部と、を有するシンクに、水切り装置を配置する。この水切り装置に、シンクの手前側の開口縁部からデッキ部まで延びる枠部と、枠部内に連結して設けられ、下方に水を透過可能な水切り本体部と、を有する水切り部材を設ける。そして、枠部を、奥側の端部に形成され、下方に延びてデッキ部に載置される脚部と、手前側の端部に形成され、水平に延びてシンクの手前側の開口縁部に載置される腕部と、を含んで構成する。また、腕部の下面から脚部の先端までの高さ方向の距離を、シンクの開口縁部とデッキ部の高さの差に一致させることで、水切り本体部を水平に配置する。
これにより、シンクがデッキ部を有することで、シンクの周縁に段差がある場合でも、腕部が撓むことがなく、水切りを行う部分を水平に保持させることができる。
【０００８】
（２）  前記水切り部材として、前記水切り本体部がプレート状に形成された水切りプレートを有することが好ましい。
【０００９】
この発明では、水切り部材を、水切り本体部がプレート状に形成された水切りプレートを含んで構成する。
これにより、プレート状の水切り本体部を水平に配置することができ、洗い物等を安定して載置できる。
【００１０】
（３）  前記腕部の下面と前記水切りプレートの上面の高さ位置が一致することで、前記水切りプレートが前記シンクの開口縁部と面一となっていることが好ましい。
【００１１】
この発明では、腕部の下面と水切りプレートの上面の高さ位置を一致させることで、水切りプレートをシンクの開口縁部と面一に配置する。
これにより、水切りプレートをシンクの開口縁部に配置した際に、水平に配置されている水切り本体部をシンクの開口縁部およびカウンターと面一にすることができる。したがって、水切り本体部に水洗いをしたものを置くだけなく、カウンターの延長上として調理作業を行う台とすることができる。
【００１２】
（４）  前記水切り部材として、前記水切り本体部が籠状に形成された水切り籠を有することが好ましい。
【００１３】
この発明では、水切り部材を、水切り本体部が籠状に形成された水切り籠を含んで構成する。
これにより、籠状の水切り本体部を水平に配置することができ、洗い物等を安定して載置できる。
【００１４】
（５）  前記水切りプレートの枠部の寸法と前記水切り籠の枠部の寸法が異なることで、前記水切り籠上に前記水切りプレートを重ねて使用することが可能なことが好ましい。
【００１５】
この発明では、水切りプレートの枠部の寸法と水切り籠の枠部の寸法を異ならせることで、水切り籠上に水切りプレートを重ねて使用することを可能にする。
これにより、水切りプレートと水切り籠とを重ねられるため、少ない面積で水切りプレートおよび水切り籠を置くことができる。
【発明の効果】
【００１６】
本発明によれば、シンクの周縁に段差がある場合でも、水切りを行う部分を水平に保持できる水切り装置を提供することができる。
【図面の簡単な説明】
【００１７】
【図１】本実施形態のシンクに載置される水切り装置を示す斜視図である。
【図２】（ａ）図は本実施形態の水切りプレートの平面図を示し、（ｂ）図は水切りプレートの側面図を示す。
【図３】本実施形態の水切りプレートをシンクに配置した状態の側面図である。
【図４】（ａ）図は本実施形態の水切り籠の平面図を示し、（ｂ）図は水切り籠の側面図を示す。
【図５】本実施形態の水切りプレートを水切り籠に配置する前の、水切り籠をシンクに配置した状態の側面図である。
【図６】本実施形態の水切りプレートおよび水切り籠を重ねてシンクに配置した状態の側面図である。
【図７】本実施形態の水切りプレートおよび水切り籠の配置を変更した状態の図である。
【図８】本実施形態の水切りプレートおよび水切り籠の配置を変更した状態の図である。
【発明を実施するための形態】
【００１８】
以下、本発明の一実施形態について、図面を参照しながら詳しく説明する。
図１は、本実施形態に係るシンクの斜視図である。以下の説明において、シンクで作業を行うために作業者が位置する方を前側、前側に対向する方を奥側、作業者の位置から見て左方を左側、右方を右側として説明する。
【００１９】
図示のように、シンク３は、上面に形成される開口部２と、開口部２の周縁である開口縁部２１と、開口部２から下方に形成されるシンク本体３０と、水栓５と、排水口６と、を備える。このシンク３には、水切り装置１がシンク３の前壁側の縁から奥壁側の縁に懸架して配置される。また、シンク３には、カウンター４が連続して配置されている。
【００２０】
シンク本体３０は、シンク３に形成される凹部である。シンク本体３０は、底面部３３と、左右の側壁部３４と、前壁部３５と、奥壁部３６と、デッキ部３１と、を有する。
底面部３３は、開口部２に対向する面であり、平面視で略長方形に形成されている。底面部３３の奥側の略中央部には、排水口６が形成されている。
左右の側壁部３４と、前壁部３５と、奥壁部３６とは、底面部３３から開口部２に向かって起立している。
【００２１】
デッキ部３１は、開口部２内の奥壁側の底面部３３が隆起して形成されている。デッキ部３１は、シンク本体３０の周縁よりも低い位置に形成されている。デッキ部３１は、シンク本体３０の奥壁側において左側および右側に配置されている。デッキ部３１は、水はけのため、手前に向かってわずかに下方に傾斜する平坦な上面を有する。左側のデッキ部３１には、水栓５が配置されている。
【００２２】
カウンター４は、略長方形で平板状の形状を有し、上面が水平になるように配置される。カウンター４は、台所等に設置され、調理を行う際に作業台として使用される。
【００２３】
水切り装置１は、シンク３における手前側の開口縁部２１からデッキ部３１に届く長さを有し、シンク３の左又は右の側壁部３４に沿うように配置される。水切り装置１は、水切り部材としての水切りプレート１１および水切り部材としての水切り籠１２を有し、水切りプレート１１および水切り籠１２は、互いに重ねて配置することが可能である。水切り装置１は、スチールに合金のめっきを施したものや、又はステンレス等により構成されている。
【００２４】
図２（ａ）および図２（ｂ）は、それぞれ水切りプレート１１の平面図および側面図を示す。図２（ａ）に示すように、水切りプレート１１は、枠部１１０と、水切り本体部としての第１水切り本体部１１１と、固定部１１４と、を有する。水切りプレート１１では、第１水切り本体部１１１がプレート状に形成されている。
【００２５】
枠部１１０は、水切りプレート１１の外周を形成する部分であり、水切り装置１をシンク本体３０に載置した状態で、シンク３の開口縁部２１の手前側からデッキ部３１まで延びる。枠部１１０は、平面視で略長方形に形成されている。枠部１１０は、脚部１１２および腕部１１３を有する。
【００２６】
脚部１１２は、枠部１１０の奥側の端部から、下方に延設される。脚部１１２は、枠部１１０の奥側における幅方向の辺の一部が、下方に屈曲するとともに、枠部１１０の幅方向に沿って延びている。脚部１１２は、水切りプレート１１の縦側面から見て、上方が開口したコの字型に形成されている（図１参照）。脚部１１２は、デッキ部３１に載置される。
【００２７】
腕部１１３は、枠部１１０の長手方向における手前側の端部に形成される。腕部１１３は、平面視でコの字状に形成され、コの字の開口側が奥側に向いている。腕部１１３のコの字状の部分は、図２（ｂ）に示すように、側面視においてシンク本体の前側へ水平に延びるように形成されている。腕部１１３は、脚部１１２よりも上方に位置する。腕部１１３は、シンク３の手前側の開口縁部２１からカウンター４の上面にかけて載置される。
【００２８】
第１水切り本体部１１１は、枠部１１０の長手方向における中央側に、枠部１１０に連結して配置される。第１水切り本体部１１１は、図２（ｂ）に示すように、側面視（高さ方向）において、腕部１１３と脚部１１２の間に配置されている。第１水切り本体部１１１は、シンク３に配置した状態でカウンター４の上面と略同一面上に延びる水平な表面１１１ａと、シンク本体３０の底面部３１１に対向する裏面１１１ｂと、を有する。第１水切り本体部１１１は、金属製の細い部材が格子状に組み合わされて形成され、水を透過可能である。
【００２９】
図３は、水切りプレート１１をシンク３に配置した状態の側面図である。図３を参照して、脚部１１２と、腕部１１３と、第１水切り本体部１１１との位置関係を説明する。
図３に示すように、腕部１１３の下面から脚部１１２の先端までの高さ方向の距離Ｈ１は、シンク３の開口縁部２１とデッキ部３１の高さの差に一致している。このため、第１水切り本体部１１１は、腕部１１３と脚部１１２の間に位置して水平に配置されている。
脚部１１２の高さＨ２は、デッキ部３１の上面からシンク３の開口縁部２１までの距離Ｈ１から、腕部１１３の下面から脚部１１２の上面までの高さ方向の距離Ｈ３（すなわち、第１水切り本体部１１１の高さ）を引いた分に相当する。
腕部１１３の下面は、水切りプレート１１の上面（第１水切り本体部１１１の表面１１１ａ）と一致し、腕部１１３は、第１水切り本体部１１１の表面１１１ａの上に水平に延びてシンク３の前側の開口縁に載置されている。この状態で、水切りプレート１１の上面は、シンク３の開口縁部２１およびカウンター４と面一になり、略同一面上に連続している。
【００３０】
固定部１１４は、第１水切り本体部１１１の裏面１１１ｂ側から下方に延びるように形成されている。固定部１１４は、水切りプレート１１が奥側へずれて移動した場合に、デッキ部３１から下方に延びる奥壁部３６に当接することで、水切りプレート１１がさらに奥側へ移動してしまうことを防止する。
【００３１】
図４（ａ）および図４（ｂ）は、それぞれ水切り籠１２の平面図および側面図を示す。図４（ａ）に示すように、水切り籠１２は、枠部１２０と、水切り本体部としての第２水切り本体部１２１と、を有する。水切り籠１２は、その外周の寸法が水切りプレート１１よりも大きく形成されている。水切り籠１２では、第２水切り本体部１２１が籠状に形成されている。
【００３２】
枠部１２０は、水切り籠１２の外周を形成する部分であり、水切り装置１をシンク本体３０に載置した状態で、シンク３の開口縁部２１の手前側からデッキ部３１まで延びる。枠部１２０は、縦長形状に形成されている。水切り籠１２の枠部１２０は、水切りプレートの枠部１１０よりも大きな外周を有するように形成されている。枠部１２０は、脚部１２２および腕部１２３を有する。
【００３３】
水切り籠１２における脚部１２２は、水切りプレート１１の脚部１１２と同様に、枠部１２０の奥側の端部から、下方に延設される。脚部１２２は、枠部１２０の奥側における幅方向の辺の一部が、下方に屈曲するとともに、枠部１２０の幅方向に沿って延びている。脚部１２２は、水切り籠１２の縦側面から見て、上方が開口したコの字型に形成されている（図１参照）。脚部１２２は、デッキ部３１に載置される。水切り籠１２における脚部１２２の高さ方向の長さは、水切りプレート１１における脚部１１２の高さ方向の長さよりも短い。
【００３４】
水切り籠１２における腕部１２３は、水切りプレート１１の腕部１１３と同様に、枠部１２０の前側の端部に形成される。腕部１２３は、平面視でコの字状に形成され、コの字の開口側が奥側に向いている。腕部１２３のコの字状の部分は、図４（ｂ）に示すように、側面視においてシンク本体３０の前側へ水平に延びるように形成されている。腕部１２３は、脚部１２２よりも上方に位置する。腕部１２３は、シンク３の前壁側の開口縁部２１からカウンター４の上面にかけて載置される。
【００３５】
第２水切り本体部１２１は、枠部１２０の長手方向における中央側に、枠部１２０に連結して配置される。第２水切り本体部１２１は、金属製の細い部材が籠状に組み合わされて形成され、水を透過可能である。第２水切り本体部１２１は、水切り籠１２の上に水切りプレート１１を配置した場合に、水切りプレート１１の上面がシンク３の開口縁部２１（カウンター４の上面）と略同一面に位置するように、水切りプレート１１の厚さ分低い位置に形成されている。
【００３６】
第２水切り本体部１２１は、かご底面部１２１ａと、かご側壁部１２１ｂと、を有する。
かご底面部１２１ａは、水切り籠１２をシンク３に配置した状態で、シンク本体３０の底面部３１１から所定距離離れた位置で略水平に延びる。
かご側壁部１２１ｂは、かご底面部１２１ａの外周から高さ方向に向かって延びる。また、かご側壁部１２１ｂの上端部は、シンク３の開口縁部２１よりも低い位置に水平に延びるように形成されている。また、かご側壁部１２１ｂの上端部は、水切りプレート１１を水切り籠１２の内側に配置した場合に、水切りプレート１１の裏面側における枠部１１０の脚部１１２側の下面に干渉しない位置に形成されている（図５参照）。
【００３７】
図５は、水切りプレート１１を水切り籠１２に配置する前の、水切り籠１２をシンク３に配置した状態の側面図である。図６は、水切りプレート１１および水切り籠１２を重ねてシンク３に配置した状態の側面図である。図５および図６を参照して、脚部１２２と、腕部１２３と、第２水切り本体部１２１との位置関係を説明する。
図５に示すように、水切り籠１２における腕部１２３の下面から脚部１２２の先端までの高さ方向の距離Ｈ４は、シンク３の開口縁部２１とデッキ部３１の高さの差に一致しており、第２水切り本体部１２１は、水平に維持されている。
脚部１２２の高さＨ５は、デッキ部３１の上面からシンク３の開口縁部２１までの高さ方向の距離Ｈ４から、腕部１２３の下面から脚部１２２の上面までの高さ方向の距離Ｈ６を引いた分に相当する。
図６に示すように、腕部１２３の下面から脚部１２２の上までの距離Ｈ６は、第１水切り本体部１１１の高さＨ７と、水切りプレート１１における脚部１１２側の枠部１１０の高さＨ８を足した分に相当している。そして、水切り籠１２の外周は、水切りプレート１１の外周よりも大きく形成されている。このため、水切り籠１２の内側に水切りプレート１１を配置した状態で、第２水切り本体部１２１が水切りプレート１１に干渉せずに、水切りプレート１１の下方に水平に配置される。
【００３８】
以上の水切りプレート１１および水切り籠１２は、図１および図５、図６に示されるように、上下に重ねた状態でシンク３の開口縁部２１に懸架される。水切りプレート１１の枠部１１０と水切り籠１２の枠部１２０との寸法は異なっている。このため、脚部１１２、１２２および腕部１１３、１２３の寸法は異なっており、脚部１１２、１２２および腕部１１３、１２３が互いに内側と外側に位置する。このため、脚部１１２、１２２はともにデッキ部３１に載置され、腕部１１３、１２３はシンク３の開口縁部２１に載置される。
【００３９】
図７および図８は、水切りプレート１１および水切り籠１２の配置を変更した状態の図である。
図７に示すように、水切りプレート１１および水切り籠１２は、シンク３の左右にそれぞれ配置することができる。水切り籠１２は、籠状に形成されているため、洗った後の食器や野菜を一時的に収容することが可能である。また、水切りプレート１１は、表面がカウンター４と略同一面上に配置されているため、カウンター４の延長上として作業に用いることができる。例えば、カウンター４上に配置していたまな板の一部を、水切りプレート１１の上にかけても安定してまな板が支えられる。
【００４０】
図８に示すように、水切りプレート１１の上に水切り籠１２を載置することも可能である。カウンター４の上およびシンク３の内部に調理道具等が置いてあり場所が塞がっている場合に利便性が高まる。
【００４１】
以上の構成を備える本実施形態に係る水切り装置１によれば、以下の効果が奏される。
本実施形態では、上面に形成された開口部２と、該開口部２内の奥壁側の底面部３３が隆起して形成された上面が平坦なデッキ部３１と、を有するシンクに、水切り装置１を配置した。この水切り装置１に、シンク３の手前側の開口縁部２１からデッキ部３１まで延びる枠部１１０，１２０と、枠部１１０，１２０内に連結して設けられ、下方に水を透過可能な水切り本体部１１１，１２１と、を有する水切りプレート１１、水切り籠１２を設けた。そして、枠部１１０，１２０を、奥側の端部に形成され、下方に延びてデッキ部３１に載置される脚部１１２，１２２と、手前側の端部に形成され、水平に延びてシンク３の手前側の開口縁部２１に載置される腕部１１３，１２３と、を含んで構成した。また、腕部１１３，１２３の下面から脚部１１２，１２２の先端までの高さ方向の距離Ｈ１，Ｈ４を、シンク３の開口縁部２１とデッキ部３１の高さの差に一致させることで、第１水切り本体部１１１，第２水切り本体部１２１を水平に配置した。
【００４２】
これにより、シンク３がデッキ部３１を有することで、シンクの周縁に段差がある場合でも、腕部１１３，１２３が撓むことなく、水切りを行う部分を水平に保持させることができる。
【００４３】
また本実施形態では、水切りプレート１１として、第１水切り本体部１１１がプレート状に形成された水切りプレートを含んで構成した。
これにより、プレート状の水切り本体部を水平に配置することができ、洗い物等を安定して載置できる。
【００４４】
また本実施形態では、腕部１１３の下面と水切りプレート１１の上面の高さ位置を一致させることで、水切りプレート１１をシンク３の開口縁部２１と面一に構成した。
これにより、水切りプレート１１をシンク３の開口縁部２１に配置した際に、水平に配置されている第１水切り本体部１１１をシンク３の開口縁部２１およびカウンター４と面一にすることができる。したがって、第１水切り本体部１１１に水洗いをしたものを置くだけなく、カウンター４の延長上として調理作業を行う台とすることができる。
【００４５】
また本実施形態では、水切り籠１２として、第２水切り本体部１２１が籠状に形成された水切り籠を含んで構成した。
これにより、籠状の水切り本体部を水平に配置することができ、洗い物等を安定して載置できる。
【００４６】
また本実施形態では、水切りプレート１１の枠部１１０の寸法と水切り籠１２の枠部１２０の寸法を異ならせることで、水切り籠１２上に水切りプレート１１を重ねて使用することを可能にした。
これにより、水切りプレート１１と水切り籠とを重ねられるため、少ない面積で水切りプレート１１および水切り籠１２を置くことができる。
【００４７】
なお、本発明は上記実施形態に限定されず、本発明の要旨を逸脱しない範囲で各種変更が可能であることは言うまでもない。
例えば、上記実施形態では、水切りプレート１１および水切り籠１２は金属製の細い部材を格子状に組み合わせて形成されているが、これに限られない。水切りプレートおよび水切り籠は、樹脂等で形成されていてもよい。
【符号の説明】
【００４８】
１  水切り装置
２  開口部
３  シンク
１１  水切りプレート（水切り部材）
１２  水切り籠（水切り部材）
２１  開口縁部
３１  デッキ部
１１０  枠部
１１１  第１水切り本体部（水切り本体部）
１１２  脚部
１１３  腕部
１２０  枠部
１２１  第２水切り本体部（水切り本体部）
１２２  脚部
１２３  腕部
【図１】
2015104532.tif 000003
【図２】
2015104532.tif 000004
【図３】
2015104532.tif 000005
【図４】
2015104532.tif 000006
【図５】
2015104532.tif 000007
【図６】
2015104532.tif 000008
【図７】
2015104532.tif 000009
【図８】
2015104532.tif 000010